(57)【特許請求の範囲】
【請求項１】
密閉容器と前記密閉容器底部に貯溜したオイルと、上方に圧縮要素と、下方に電動要素を配置し、前記圧縮要素には、下端が前記オイルに浸かり前記電動要素により回転するクランクシャフトと、前記クランクシャフトを軸支するブロックと、前記ブロックには、開口端を有するシリンダと前記シリンダの開口端を蓋するシリンダヘッドを固定するためのリブと前記シリンダヘッド側から見て前記シリンダの両側に水平方向に広がった上部平面と前記リブの両端に形成され前記リブにつながって上部平面まで延びたせきと前記ブロックの前記上部平面の下方に形成され前記電動要素に固定するための脚を有し、前記ブロックのリブの下方には、サクションマフラを配置したもので、前記クランクシャフトの上端より噴出し、前記上部平面に溜まったオイルが前記密閉容器底部に貯溜した前記オイルまでの流れ落ちる流路を前記サクションマフラ上に流れ落ちないようコントロールした密閉型電動圧縮機。
【請求項２】
脚には上部平面から下方に延びた凹または凸形状の溝を形成した請求項１記載の密閉型電動圧縮機。
【発明の詳細な説明】
【０００１】
【発明の属する技術分野】
本発明は電気冷蔵庫等の冷凍サイクルに接続される密閉型電動圧縮機に関する。
【０００２】
【従来の技術】
従来、密閉型電動圧縮機は特開平８−２８４８２６に記載されたものが知られる。
【０００３】
図４に従来の密閉型電動圧縮機の側面断面図で、図５は図４のＣ−Ｃ矢視断面図、図６は図４のＤ−Ｄ矢視断面図を示しており、１は密閉容器、２は密閉容器１の底部に貯溜したオイル、３は圧縮要素、４は電動要素で、密閉容器１内に弾性的に取り付けられている。５は下端がオイル２に浸かり電動要素４により回転するクランクシャフトであり、６はクランクシャフト５の下端、７はクランクシャフト５の上端である。８はブロック、９はブロック８のシリンダ、１０はシリンダ８の両端に広がる上部平面、１１はブロック８を電動要素４に固定するための脚、１２はブロック８に形成されたリブである。１３はシリンダ９の開口端を蓋するシリンダヘッドでリブ１２に固定されている。１４はリブの下方に配置されたサクションマフラである。
【０００４】
以上のように構成された密閉型電動圧縮機において密閉型電動圧縮機が運転を始めると電動要素４によりクランクシャフト５が回転し、オイル２はクランクシャフト５の下端６から吸い上げられ上端７から噴出し、密閉容器１やシリンダ９やリブ１２へ降りかけられ油滴となり、上部平面１０へ流れ出す。上部平面１０に溜まったオイルはオーバーフローすると上部平面１０の全周から密閉容器底部へ流れ落ちる。
【０００５】
【発明が解決しようとする課題】
しかしながら上記従来の構成では上部平面に溜まったオイルがサクションマフラに流れ落ち、サクションマフラ表面を伝わり流れ落ちるため、サクションマフラの内部温度を上昇させ吸入ガス温度を上げ、密閉型電動圧縮機の効率が低下するという課題を有していた。また、上部平面に溜まったオイルが直接密閉容器底部に流れ落ち、密閉容器底部に貯溜したオイル表面で飛散音を発生させるため、それが変動音になるという課題を有していた。
【０００６】
本発明は、上記課題を解決しようとするもので、上部平面に溜まったオイルが密閉容器底部に貯溜したオイルまで流れ落ちる流路をコントロールし、オイルがサクションマフラに流れ落ちサクションマフラ表面を伝わり流れ落ちたり、直接密閉容器底部に流れ落ちることを防止することを目的とする。
【０００７】
【課題を解決するための手段】
上記課題を解決するために請求項１に記載の本発明では、上部平面に溜まったオイルが密閉容器底部に貯溜したオイルまで流れ落ちる流路をコントロールしたものである。
【０００８】
上記課題を解決するために請求項２に記載の本発明では、リブの両端に、リブにつながって上部平面まで延びたせきを形成したものである。
【０００９】
上記課題を解決するために請求項３記載の本発明では、脚に上部平面から下方に延びた凹または凸形状の溝を形成したものである。
【００１０】
これにより上部平面に溜まったオイルが密閉容器底部に貯溜したオイルまで流れ落ちる流路をコントロールし、オイルがサクションマフラに流れ落ちサクションマフラ表面を伝わり流れ落ちたり、直接密閉容器底部に流れ落ちることを防止することができる。
【００１１】
【発明の実施の形態】
本発明の請求項１記載の本発明では、密閉容器と前記密閉容器底部に貯溜したオイルと、上方に圧縮要素と、下方に電動要素を配置し、前記圧縮要素には、下端が前記オイルに浸かり前記電動要素により回転するクランクシャフトと、前記クランクシャフトを軸支するブロックと、前記ブロックには、開口端を有するシリンダと前記シリンダの開口端を蓋するシリンダヘッドを固定するためのリブと前記シリンダヘッド側から見て前記シリンダの両側に水平方向に広がった上部平面と前記リブの両端に形成され前記リブにつながって上部平面まで延びたせきと前記ブロックの前記上部平面の下方に形成され前記電動要素に固定するための脚を有し、前記ブロックのリブの下方には、サクションマフラを配置したもので、前記クランクシャフトの上端より噴出し、前記上部平面に溜まったオイルが前記密閉容器底部に貯溜した前記オイルまでの流れ落ちる流路を前記サクションマフラ上に流れ落ちないようコントロールすることにより、オイルがサクションマフラに流れ落ちサクションマフラ表面を伝わり流れ落ちたり、直接密閉容器底部に流れ落ちることを防止することができるという作用を有する。
【００１３】
本発明の請求項２記載の本発明では、前記脚に前記上部平面から下方に延びた凹または凸形状の溝を形成することにより上部平面に溜まったオイルが直接密閉容器底部に流れ落ちることを防止することができるという作用を有する。
【００１４】
【実施例】
以下本発明の実施例について図１〜３を用いて説明する、なお従来と同一部分は同一符号を付し、詳細な説明は省略する。
【００１５】
（実施例１）
図１は請求項１〜３に示す本発明の一実施例による密閉型電動圧縮機の側面断面図、図２は図１のＡ−Ａ矢視断面図、図３は図１のＢ−Ｂ矢視断面図を示しており、１は密閉容器、２は密閉容器１の底部に貯溜したオイル、３は圧縮要素、４は電動要素で、密閉容器１内に弾性的に取り付けられている。５は下端がオイル２に浸かり電動要素４により回転するクランクシャフトであり、６はクランクシャフト５の下端、７はクランクシャフト５の上端である。８はブロック、９はブロック８のシリンダ、１０はシリンダ８の両端に広がる上部平面、１１はブロック８を電動要素４に固定するための脚、１２はブロック８に形成されたリブである。１３はシリンダ９の開口端を蓋するシリンダヘッドでリブ１２に固定されている。１４はリブの下方に配置されたサクションマフラである。１５はリブ１２の両端にリブ１２につながって上部平面１０まで延びた三角形状をしたせきで、１６はせき１５とシリンダ９の間の側壁溝、１７はせき１５が上部平面１０へ延びた終端である。１８は脚１１に形成した上部平面１０から下方に延びた凹形状をした溝である。
【００１６】
以上のような構成によって、密閉型電動圧縮機が運転を始めると電動要素４によりクランクシャフト５が回転し、オイル２はクランクシャフト５の下端６から吸い上げられ上端７から噴出し、密閉容器１やシリンダ９やリブ１２へ降りかけられ油滴となり、側壁溝１６を通り上部平面１０へ流れ出す。上部平面１０に溜まったオイルはオーバーフローするとせき１５の終端１７から脚１１に形成した溝１８を伝わり密閉容器１の底部へ流れ落ちるため、オイルがサクションマフラに流れ落ちサクションマフラ表面を伝わり流れ落ちたり、直接密閉容器底部に流れ落ちることを防止することができる。
【００１７】
【発明の効果】
上記実施例から明らかなように、請求項１記載の発明によれば、密閉容器と前記密閉容器底部に貯溜したオイルと、上方に圧縮要素と、下方に電動要素を配置し、前記圧縮要素には、下端が前記オイルに浸かり前記電動要素により回転するクランクシャフトと、前記クランクシャフトを軸支するブロックと、前記ブロックには、開口端を有するシリンダと前記シリンダの開口端を蓋するシリンダヘッドを固定するためのリブと前記シリンダヘッド側から見て前記シリンダの両側に水平方向に広がった上部平面と前記リブの両端に形成され前記リブにつながって上部平面まで延びたせきと前記ブロックの前記上部平面の下方に形成され前記電動要素に固定するための脚を有し、前記ブロックのリブの下方には、サクションマフラを配置したもので、前記クランクシャフトの上端より噴出し、前記上部平面に溜まったオイルが前記密閉容器底部に貯溜した前記オイルまでの流れ落ちる流路を前記サクションマフラ上に流れ落ちないようコントロールすることにより、オイルがサクションマフラに流れ落ちサクションマフラ表面を伝わり流れ落ちたり、直接密閉容器底部に流れ落ちることを防止することができるという有利な効果が得られる。
【００１９】
また、請求項２記載の発明によれば、脚に上部平面から下方に延びた凹または凸形状の溝形を形成することにより上部平面に溜まったオイルが直接密閉容器底部に流れ落ちることを防止することができるという有利な効果が得られる。
【図面の簡単な説明】
【図１】請求項１、２、３に記載した本発明の実施例による密閉型電動圧縮機の側断面図
【図２】図１のＡ−Ａ矢視断面図
【図３】図１のＢ−Ｂ矢視断面図
【図４】従来の密閉型電動圧縮機の側面断面図
【図５】図４のＣ−Ｃ矢視断面図
【図６】図４のＤ−Ｄ矢視断面図
【符号の説明】
１  密閉容器
２  オイル
３  圧縮要素
４  電動要素
５  クランクシャフト
８  ブロック
９  シリンダ
１０  上部平面
１１  脚
１２  リブ
１４  サクションマフラ
１５  せき
１８  溝
【図１】
0003677412.tif 000002
【図２】
0003677412.tif 000003
【図３】
0003677412.tif 000004
【図４】
0003677412.tif 000005
【図５】
0003677412.tif 000006
【図６】
0003677412.tif 000007